(57)【要約】【課題】外力に対する強度が高められているとともに、自然環境の保全に配慮して法面を保護することができる補強土壁構造物を提供する。また、外力に対する強度が高められているとともに、自然環境の保全に配慮して法面を保護することができる補強土壁構造物を構築することができる構築方法を提供する。【解決手段】補強土壁構造物１１は水路に面する河川の法面Ｎの前面に構築された補強土壁１２内に、補強材としてのジオテキスタイル１３が敷設されて構成されている。ジオテキスタイル１３は補強土壁１２の横方向全体に亘って連続して延びるように敷設されている。ジオテキスタイル１３の幅方向への長さは、少なくとも０．５ｍを必要とするとともに、前記補強土壁１２の高さの４０％以下又は３ｍ以下に設定されている。【選択図】      図４
2004218263.tif 000002
【特許請求の範囲】
【請求項１】
河川、湖沼、海、水路等に面する法面の前面に構築された補強土壁内に、補強材が当該補強土壁の横方向全体に連続して延びるように敷設されているとともに、補強土壁の高さ方向に亘って複数層に敷設されて構成され、前記補強材の補強土壁の厚み方向への長さが、少なくとも０．５ｍを必要とするとともに、前記補強土壁の高さの４０％以下又は３ｍ以下に設定されていることを特徴とする補強土壁構造物。
【請求項２】
前記補強土壁の高さ方向における補強材の敷設間隔は０．１〜１．２ｍに設定されていることを特徴とする請求項１に記載の補強土壁構造物。
【請求項３】
前記補強土壁の前面には壁面材が設けられ、その壁面材に前記補強材が連結されていることを特徴とする請求項１又は請求項２に記載の補強土壁構造物。
【請求項４】
前記壁面材には植生シート又は植生マットが取り付けられていることを特徴とする請求項３に記載の補強土壁構造物。
【請求項５】
河川、湖沼、海、水路等に面する法面の前面に盛土を行い、その盛土の上面に、補強材を前記盛土の横方向全体に連続して延びるように敷設した後、同補強材上に盛土を行う工程を繰り返すことにより、補強材が高さ方向に間隔をおいて複数層状に敷設された補強土壁を構築し、前記補強材の補強土壁の厚み方向への長さを、少なくとも０．５ｍを必要とするとともに、前記補強土壁の高さの４０％以下又は３ｍ以下に設定したことを特徴とする補強土壁構造物の構築方法。
【発明の詳細な説明】
【０００１】
【発明の属する技術分野】
本発明は、河川等の法面の保護や土留め等を目的として構築される補強土壁構造物及びその構築方法に関するものである。
【０００２】
【従来の技術】
従来より、例えば山間部の渓流河川や都市部の掘り込み河川の法面には、転石や洗掘等による法面の破壊を防止するために、コンクリートブロックや自然石を積み上げて護岸構造物が構築されている。近年では、既存の自然生態系の保全を念頭においた河道設計が検討され、河川内で行われる全ての災害復旧事業や改良復旧事業は、自然環境の保全に配慮して実施されるよう提案されている（例えば、非特許文献１参照。）。この自然環境の保全に配慮した護岸構造物は、その構築場所の自然生態系をほとんど変化させず構築されるとともに、その護岸構造物の壁面を緑化可能となるように構築されるものである。
【０００３】
【非特許文献１】
建設省河川局防災・海岸課  監修：美しい山河を守る災害復旧基本方針，（社）全国防災協会，１９９８
【０００４】
【発明が解決しようとする課題】
ところが、上記自然環境の保全に配慮した護岸構造物は、思想として提案はなされているが、その設計や施工に係る事項については全く規定されていない。そのため、自然環境の保全に配慮するとともに、転石や洗掘等の外力に対する強度が高められた護岸構造物により河川法面を保護することができないという問題があった。
【０００５】
本発明は、上記従来技術に存在する問題点に着目してなされたものである。その目的とするところは、外力に対する強度が高められているとともに、自然環境の保全に配慮して法面を保護することができる補強土壁構造物を提供することにある。その他の目的とするところは、外力に対する強度が高められているとともに、自然環境の保全に配慮して法面を保護することができる補強土壁構造物を構築することができる補強土壁構造物の構築方法を提供することにある。
【０００６】
【課題を解決するための手段】
上記問題点を解決するために、請求項１に記載の発明は、河川、湖沼、海、水路等に面する法面の前面に構築された補強土壁内に、補強材が当該補強土壁の横方向全体に連続して延びるように敷設されているとともに、補強土壁の高さ方向に亘って複数層に敷設されて構成され、前記補強材の補強土壁の厚み方向への長さが、少なくとも０．５ｍを必要とするとともに、前記補強土壁の高さの４０％以下又は３ｍ以下に設定されていることを要旨とする。
【０００７】
請求項２に記載の発明は、請求項１に記載の補強土壁構造物において、前記補強土壁の高さ方向における補強材の敷設間隔は０．１〜１．２ｍに設定されていることを要旨とする。
【０００８】
請求項３に記載の発明は、請求項１又は請求項２に記載の補強土壁構造物において、前記補強土壁の前面には壁面材が設けられ、その壁面材に前記補強材が連結されていることを要旨とする。
【０００９】
請求項４に記載の発明は、請求項３に記載の補強土壁構造物において、前記壁面材には植生シート又は植生マットが取り付けられていることを要旨とする。
請求項５に記載の発明は、河川、湖沼、海、水路等に面する法面の前面に盛土を行い、その盛土の上面に、補強材を前記盛土の横方向全体に連続して延びるように敷設した後、同補強材上に盛土を行う工程を繰り返すことにより、補強材が高さ方向に間隔をおいて複数層状に敷設された補強土壁を構築し、前記補強材の補強土壁の厚み方向への長さを、少なくとも０．５ｍを必要とするとともに、前記補強土壁の高さの４０％以下又は３ｍ以下に設定したことを要旨とする。
【００１０】
【発明の実施の形態】
以下、本発明を具体化した補強土壁構造物及びその構築方法の一実施形態を図１〜図４に従って説明する。図１及び図４に示すように、補強土壁構造物１１は、水路に面する法面Ｎの前面に盛土により構築された補強土壁１２内に、補強材としてのジオテキスタイル１３が敷設されて構成されている。さらに、補強土壁構造物１１は前記補強土壁１２の前面にＬ型鋼製網材１４が設置され、そのＬ型鋼製網材１４を使用して補強土壁１２の前面が緑化されているものである。
【００１１】
まず、前記ジオテキスタイル１３について説明する。なお、ここでいうジオテキスタイル１３とは、ＪＩＳＬ０２２１に定義された狭義のジオテキスタイル、ジオグリット、ジオネット又はジオテキスタイル関連製品を指す。具体的に、前記ジオテキスタイル１３は、図３に示すように、合成樹脂材料を押出機の複数の細孔から押し出して帯状に成形されているとともに、経線１３ａ及び緯線１３ｂから格子状に形成されているものである。ジオテキスタイル１３の一軸方向に延びる経線１３ａには、強度補強のための芯材Ｃが埋設されている。この実施形態では、ジオテキスタイル１３をポリエチレンにより形成し、芯材Ｃをアラミド繊維により形成した。そして、ジオテキスタイル１３はその長さ方向への引張り強度が最大３００ｋＮ／ｍの物性を有する。なお、本実施形態とは別の形状のジオテキスタイル１３としては、図５（ａ）に示すように、合成樹脂材料を押出機から押し出して成形したシートに孔を空けて１軸方向に加熱延伸して形成されたもの又は図５（ｂ）に示すように、二軸方向に加熱延伸して形成されたものがある。さらに、別の形状のジオテキスタイル１３としては、図示しないが経線及び緯線を格子状に組み付けた後、その交点を熱融着させて形成されたもの又は繊維材料による織り構造や編み構造によって形成されたものがある。
【００１２】
図２に示すように、前記Ｌ型鋼製網材１４は金属材料により格子状に形成された網材をＬ字状に折り曲げて形成されている。Ｌ型鋼製網材１４を形成する網材としては、エキスパンドメタルや溶接により網状に形成された溶接金網が挙げられる。また、以上の金属材料は、腐食対策が行われていることが好ましい。前記Ｌ型鋼製網材１４の上端から屈曲部位の裏側には、補強土壁１２の前面緑化のために図示しない植生シート又は植生マットが取り付けられる。前記植生シートとしては、例えば不織布や紙、天然材料を用いたシート材などに種子を貼着したものが挙げられる。また、植生マットとしては、例えば不織布や紙、天然材料を用いたマットなどを筒状に加工し、その筒状内部に土砂と肥料と種子とを含有させたものが挙げられる。
【００１３】
次に、補強土壁構造物１１を具体的に説明する。まず、前記法面Ｎは既存の堤体、盛土、地盤等の前面に形成されたものである。図１及び図４に示すように、補強土壁構造物１１を構築するための前記補強土壁１２は、法面Ｎの前面に盛土によって構築されている。前記補強土壁１２を構築するための盛土材料は、現地発生土が主に使用されるが、別の場所から採取された土や砕石を使用してもよい。さらに、補強土壁１２は高さＨが８ｍ程度となるように構築されるのが好ましい。
【００１４】
前記補強土壁１２の前面には、同補強土壁１２の高さ方向（上下方向）及び横方向（左右方向）に亘って複数のＬ型鋼製網材１４が壁面材として設置されている。そして、各Ｌ型鋼製網材１４は上端から屈曲部位までが補強土壁１２の前面に臨み、前記屈曲部位から後部が補強土壁１２内に埋設されるため、補強土壁１２の前面は複数のＬ型鋼製網材１４によって覆われている。このとき、図４に示すように、上下に隣接するＬ型鋼製網材１４は、横方向（左右方向）の両側縁が上下方向にほぼ一直線となるように設置され、左右に隣接するＬ型鋼製網材１４は、高さ方向（上下方向）の両端縁が左右方向にほぼ一直線となるように設置されている。そのため、補強土壁１２の横方向へ延びるＬ型鋼製網材１４の列において、複数のＬ型鋼製網材１４は、その屈曲部位から後側へ延びる部位が補強土壁１２の横方向に沿ってほぼ平面状に並ぶように設置されている。
【００１５】
なお、複数のＬ型鋼製網材１４は、上下に隣接するＬ型鋼製網材１４が千鳥状に設置され、左右に隣接するＬ型鋼製網材１４が、高さ方向（上下方向）の両端縁が左右方向にほぼ一直線となるように設置されていてもよい。即ち、補強土壁１２の前面がＬ型鋼製網材１４によって覆われ、さらにＬ型鋼製網材１４が横方向に一列に並ぶのであれば、Ｌ型鋼製網材１４の設置の仕方は任意に変更してもよい。
【００１６】
補強土壁１２の横方向へ延びるＬ型鋼製網材１４の各列の後部には、それぞれ一枚の前記ジオテキスタイル１３の一側縁部が連結固定されている。即ち、各Ｌ型鋼製網材１４の列には、それぞれ一枚のジオテキスタイル１３がその長さ方向が補強土壁１２の横方向へ延び、幅方向が補強土壁１２の厚み方向に延びるように敷設されている。加えて、ジオテキスタイル１３はその幅方向が、補強土壁１２の前面側から法面Ｎに向かって連続的に延び、同法面Ｎに達するように敷設され、補強土壁１２の前面と法面Ｎとの間に敷設されている。なお、ジオテキスタイル１３とＬ型鋼製網材１４との連結強度は、構築された補強土壁構造物１１が安定するために、１０ｋｇ／ｍ以上が好ましい。
【００１７】
ジオテキスタイル１３の補強土壁１２の厚み方向（前後方向）への敷設長さ、即ちジオテキスタイル１３の幅方向へ長さは、補強土壁構造物１１が法面Ｎからの土圧に対して自重によって抵抗し、安定したもたれ式擁壁として構築されるため、もたれ式擁壁としての安定性に必要な土塊重量を満たす長さに設定される。具体的には、ジオテキスタイル１３の幅方向への長さは、少なくとも０．５ｍを必要とするとともに、補強土壁１２の高さＨの４０％以下又は３ｍ以下に設定されている。即ち、補強土壁１２の高さＨが７．５ｍまではジオテキスタイル１３の敷設長さは、０．５ｍから補強土壁１２の高さＨの４０％までの間で選択され、７．５ｍを超えたときは、０．５ｍから３ｍの間で選択される。従って、ジオテキスタイル１３の幅方向への長さは、３ｍを超えることはない。本実施形態では、補強土壁１２の高さＨが８ｍに設定されているため、ジオテキスタイル１３の補強土壁１２の厚み方向への敷設長さが３．０ｍに設定されている。
【００１８】
そして、ジオテキスタイル１３が各Ｌ型鋼製網材１４の列の後部に敷設されることにより、補強土壁１２の高さ方向、即ち補強土壁構造物１１の高さ方向に間隔をおいて複数のジオテキスタイル１３が敷設されている。補強土壁構造物１１の高さ方向におけるジオテキスタイル１３の間隔、即ち補強土壁構造物１１の上下に位置するジオテキスタイル１３の敷設間隔は０．１〜１．２ｍに設定されるのが好ましい。前記間隔に設定されると、補強土壁１２内における上下に位置するジオテキスタイル１３同士の間には盛土材料が介在してジオテキスタイル１３同士が接触しにくくなり、上下に位置するジオテキスタイル１３同士の滑りが生じる虞が無くなる。また、前記間隔に設定されると、補強土壁１２の高さ方向にジオテキスタイル１３が密に配置され、ジオテキスタイル１３と補強土壁１２とが一体化されて補強土壁構造物１１自体の強度が低下する虞が無くなる。補強土壁構造物１１はＬ型鋼製網材１４の上端から屈曲部位の裏側に設置された植生シート又は植生マット（図示せず）により、補強土壁１２前面が緑化されている。
【００１９】
上記補強土壁構造物１１は前記堤体、盛土、地盤等に安定性を付与しているが、上面に家屋、道路等を形成するために構築されるのではなく、法面Ｎの護岸、土砂の吸出し、流体による侵食を防止するために構築されるものである。さらに、既存の法面Ｎに補強土壁構造物１１が構築されるため、その補強土壁構造物１１は法面Ｎからの土圧に対して自重によって抵抗し安定したもたれ式擁壁として構築される。加えて、ジオテキスタイル１３の幅方向への長さが前記敷設長さに設定されることにより、補強土壁構造物１１の厚みが規定されるため、補強土壁構造物１１の巨大化が防止される。また、この補強土壁構造物１１は、補強土壁１２の背面地盤、即ち、法面Ｎをほとんど掘削することなく構築されている。
【００２０】
そして、補強土壁構造物１１において、ジオテキスタイル１３が補強土壁１２内に敷設されることにより、盛土材料がジオテキスタイル１３に支持される。また、補強土壁構造物１１に対して上方や前方から外力が作用しても、その外力をジオテキスタイル１３により支持することが可能となるため、補強土壁構造物１１の外力に対する強度が高められている。即ち、補強土壁１２全体がジオテキスタイル１３によって補強され、補強土壁構造物１１全体が補強されて安定した構造物となる。
【００２１】
特に、ジオテキスタイル１３が補強土壁１２をその横方向全体を横断するように敷設されているため、補強土壁構造物１１に対して外力が作用しても、その外力は、補強土壁１２の横方向全体に延びるジオテキスタイル１３全体に分散され、支持される。加えて、ジオテキスタイル１３は補強土壁１２の横方向に亘って断続的に敷設されていないため、補強土壁１２の横方向に沿ってジオテキスタイル１３同士の繋ぎ目が生じることがない。
【００２２】
次に、補強土壁構造物１１の構築方法について説明する。
まず、図１に示すように、補強土壁構造物１１を構築する場所となる河川において、補強土壁構造物１１の基礎底面となる河底を水平に掘削し、盛土する。即ち、基礎底面に、岩盤、礫分等による凹凸がある場合には、盛土材料を敷設し、締め固めて不陸がないように整地する。次に、吸出し防止材としての不織布１５を法面Ｎの前面全体に敷設する。続いて、複数のＬ型鋼製網材１４を基礎底面の盛土上に設置、固定する。そして、図４に示すように、一枚のジオテキスタイル１３をその一側縁部を複数のＬ型鋼製網材１４に連結固定しながら、同ジオテキスタイル１３を、補強土壁１２の横方向へ延びるように敷設していく。それと同時に、ジオテキスタイル１３はその幅方向が、補強土壁１２の前面側から法面Ｎの前面に向かって延び、法面Ｎの前面に達するまで敷設されるとともに、緊張した状態で延びるように敷設される。
【００２３】
その結果、補強土壁１２の前面の横方向に複数のＬ型鋼製網材１４が並び、ジオテキスタイル１３が補強土壁１２の横方向及び厚み方向に敷設される。次に、Ｌ型鋼製網材１４の裏側からジオテキスタイル１３の層の上面にかけて土をまき出して盛土して締め固める。即ち、盛土材料をバックホウ等により所定のまき厚さに敷設する。さらに、振動コンパクタ、振動ローラ等の締固め機械を使用して盛土材料を締め固める。
【００２４】
続けて、上記と同様に、盛土の上にＬ型鋼製網材１４及びジオテキスタイル１３を敷設する。このとき、上下のジオテキスタイル１３間の間隔は０．１〜１．２ｍとなるように敷設される。そして、所望する高さとなるまで上記工程を繰り返すことにより、補強土壁１２内にジオテキスタイル１３が敷設される。また、河床面より上側に位置するとされるＬ型鋼製網材１４の上端から屈曲部位の裏側には、植生シート又は植生マットを設置する。なお、図１に示すように、複数段に亘ってＬ型鋼製網材１４を積み上げるなかで、前記法面Ｎの前面に敷設された不織布１５に繋がる別の不織布１５をジオテキスタイル１３の上面に敷設してもよい。最後に、最深河床高が基礎底面より低い場合には、根固め工を行うことにより、河床には根固め材１６が構築される。その結果、法面Ｎの前面には補強土壁構造物１１が構築され、前記植生シート又は植生マットの植物が補強土壁１２の前面に植生し、補強土壁１２の前面が緑化される。
【００２５】
上記実施形態によれば、以下のような特徴を得ることができる。
（１）ジオテキスタイル１３を補強土壁１２の横方向全体に亘って連続して延びるように敷設するとともに、ジオテキスタイル１３の幅方向への敷設長さを所定範囲内に設定して補強土壁構造物１１を安定した法面Ｎに対するもたれ式擁壁として構築した。従って、ジオテキスタイル１３により補強土壁構造物１１の外力に対する強度を高めて法面Ｎの護岸及び土留めを目的とした補強土壁構造物１１を所定範囲内の大きさに盛土により構築することができる。そのため、コンクリートブロックや自然石を積み上げていた従来の護岸構造物と異なり、補強土壁１２の前面を自然生態系に近い状態とすることができ、自然環境の保全に配慮するとともに、外力に対する強度が高められた補強土壁構造物１１を提供することができる。
【００２６】
（２）ジオテキスタイル１３は、補強土壁１２の横方向全体を横断する状態で敷設されている。そのため、複数のジオテキスタイル１３を、補強土壁１２の横方向へ断続的に敷設する場合と比較して、補強土壁構造物１１を構成する部材数を少なくして、補強土壁構造物１１を一体の構造物に近い状態で構築することができる。従って、外力による補強土壁構造物１１の分解の虞を無くすことができ、法面Ｎの護岸及び土留め効果を効果的に発揮することができる。加えて、ジオテキスタイル１３を複数に切断し、それらジオテキスタイル１３を補強土壁１２の横方向へ敷設する場合と異なり、補強土壁構造物１１構築作業の簡易化を図ることができる。
【００２７】
（３）また、補強土壁構造物１１に作用した外力は、ジオテキスタイル１３全体に分散され、支持される。そのため、ジオテキスタイル１３が補強土壁１２の横方向に亘って断続的に敷設されている場合と比較して、前記外力を効率よく支持することが可能となる。従って、外力により補強土壁構造物１１が破壊される不具合の発生を無くすことができ、法面Ｎの護岸及び土留め効果を効果的に発揮することができる。
【００２８】
（４）ジオテキスタイル１３が補強土壁１２の横方向全体を横断するように敷設されている。そのため、河床洗掘に伴い、万一補強土壁１２の底部が洗掘（底抜け）されても、補強土壁構造物１１の上方へ向かった盛土材料の洗掘をジオテキスタイル１３によって防止することができる。従って、補強土壁構造物１１の上下方向における最上部に至るまで盛土材料が抜けてしまい、補強土壁構造物１１が上下方向へ破壊されてしまうといった不具合の発生を防止することができる。
【００２９】
（５）補強土壁構造物１１は法面Ｎに対するもたれ式擁壁として構築され、さらに、補強土壁構造物１１の高さ及びジオテキスタイル１３の幅方向への敷設長さを一定条件のもとに設定した。従って、補強土壁構造物１１の厚み方向の長さが十分に取れない場所でも、補強土壁構造物１１の高さを考慮することにより、ジオテキスタイル１３を敷設可能とし、補強土壁構造物１１を構築して法面Ｎを護岸することができる。
【００３０】
（６）補強土壁構造物１１は既存の法面Ｎに対するもたれ式擁壁として構築された一体化した構造物として認識されるため、補強土壁構造物１１内の円弧すべりに対する検討を省略できる。即ち、補強土壁構造物１１を構築する際のジオテキスタイル１３の敷設長さの検討（補強土壁構造物１１の内的安定の検討）を省略することができる。従って、補強土壁構造物１１の外的安定及び全体安定を検討すればよいため、内的安定、外的安定及び全体安定の検討を必要としていた一般の補強土壁工法と異なり、補強土壁構造物１１構築のための工期を短縮することができるとともに、材料費、施工費を抑えることができる。
【００３１】
（７）Ｌ型鋼製網材１４に植生シート又は植生マットを設置することにより、補強土壁１２の前面を容易に緑化することができる。従って、法面Ｎの護岸及び土留めのためにコンクリートブロックや自然石を積み上げていた従来の護岸構造物と異なり、自然環境に近い補強土壁構造物１１を構築することができる。
【００３２】
（８）ジオテキスタイル１３の上下間の間隔を０．１〜１．２ｍに設定した。そのため、補強土壁１２内の上下のジオテキスタイル１３同士が接触することなく、また、ジオテキスタイル１３同士の間隔が広くなりすぎることがなくなる。従って、補強土壁１２全体の強度の低下を防止することができ、一体化した補強土壁構造物１１を構築することができる。
【００３３】
（９）補強土壁構造物１１は盛土材料が衝撃吸収力の高い柔な土質材料であるため、転石等により補強土壁構造物１１に衝撃が加わっても盛土材料により衝撃を吸収することができる。従って、法面Ｎの護岸及び土留めのためにコンクリートブロックや自然石を積み上げていた衝撃吸収力の低い従来の剛な護岸構造物と異なり、衝撃が補強土壁構造物１１に作用しても、補強土壁構造物１１の破壊を小さくすることができ、法面Ｎを保護できる。
【００３４】
（１０）Ｌ型鋼製網材１４にジオテキスタイル１３が連結固定されている。そのため、ジオテキスタイル１３がＬ型鋼製網材１４に連結固定されずに補強土壁１２内に埋設されている場合と比較して、ジオテキスタイル１３の補強土壁１２内での滑り等を抑えることができる。さらに、ジオテキスタイル１３の一側縁部がＬ型鋼製網材１４に連結固定されているため、ジオテキスタイル１３の他端側を法面Ｎに向かって十分に引張ることが可能となり、ジオテキスタイル１３を緊張した状態で敷設することができる。また、ジオテキスタイル１３の盛土材料に対する摩擦抵抗力により、補強土壁構造物１１構築後のＬ型鋼製網材１４の補強土壁１２からの引き抜けを防止することができる。
【００３５】
なお、実施形態は以下のように変更してもよい。
・  根固め工を省略してもよい。
・  吸出し防止材としての不織布１５を省略してもよい。
【００３６】
・  補強土壁１２の強度の低下を招かない範囲であれば、ジオテキスタイル１３の上下間の間隔を０．１〜１．２ｍ以外に設定してもよい。
・  Ｌ型鋼製網材１４を省略して、植生シート又は植生マットを省略してもよい。そして、自然発生的に補強土壁１２の前面を緑化させてもよく、客土吹付け工法、基材吹付工法等により種子を補強土壁１２の前面にまきつけて緑化させてもよい。
【００３７】
・  実施形態では、壁面材としてＬ型鋼製網材１４に具体化したが、Ｌ型鋼製網材１４の代わりに補強土壁１２の前面全体を覆う金網に具体化してもよく、補強土壁１２の前面に金網を枠状に構築してセル枠を構築してもよい。また、実施形態では、Ｌ型鋼製網材１４に植生シート又は植生マットを設置したが、Ｌ型鋼製網材１４に侵食防止機能を有するシート又はマットを連結固定してもよい。前記シート又はマットとしては、合成樹脂材料を押出機の複数の細孔から押し出し、その押し出された複数の繊維材料を捲縮して成形されたものや合成樹脂材料を押出機から押し出して成形されたネットをスレート状に屈折させたものが挙げられる。
【００３８】
・  実施形態において、Ｌ型鋼製網材１４の上端から屈曲部位の裏側に植生シート又は植生マットを設置したが、その植生シート又は植生マットの裏側に土砂の吸出しを防止するための吸出し防止材（例えば、不織布）を設けてもよい。
【００３９】
・  実施形態では、水路に面する法面Ｎに補強土壁構造物１１を構築したが、河川の法面、湖沼の法面、海岸の法面に補強土壁構造物１１を構築してもよい。
・  実施形態では、水路に面する法面Ｎに補強土壁１２を構築して補強土壁構造物１１を構築したが、例えば、水路に面していない山の法面や、掘削された山の法面に補強土壁１２を構築して補強土壁構造物１１を構築してもよい。
【００４０】
次に上記実施形態及び別例から把握できる技術的思想について、それらの効果とともに以下に追記する。
（１）法面の前面に構築された補強土壁内に、補強材が当該補強土壁の横方向全体に連続して延びるように敷設されているとともに、補強土壁の高さ方向に亘って複数層に敷設されて構成され、前記補強材の補強土壁の厚み方向への長さが、少なくとも０．５ｍを必要とするとともに、前記補強土壁の高さの４０％以下又は３ｍ以下に設定されていることを特徴とする補強土壁構造物。このように構成した場合も、外力に対する強度が高められているとともに、自然環境の保全に配慮して法面を保護することができる。
【００４１】
【発明の効果】
以上、詳述したように、請求項１〜請求項４のいずれか一項に記載の補強土壁構造物によれば、外力に対する強度が高められているとともに、自然環境の保全に配慮して法面を保護することができる。また、請求項５に記載の補強土壁構造物の構築方法によれば、外力に対する強度が高められているとともに、自然環境の保全に配慮して法面を保護することができる補強土壁構造物を構築することができる。
【図面の簡単な説明】
【図１】実施形態の補強土壁構造物を示す模式図。
【図２】実施形態のＬ型鋼製網材を示す斜視図。
【図３】実施形態のジオテキスタイルを示す斜視図。
【図４】実施形態の補強土壁構造物の構築状態を示す模式的斜視図。
【図５】（ａ）、（ｂ）は実施形態とは別の形状のジオテキスタイルを示す平面図。
【符号の説明】
Ｈ…高さ、Ｎ…法面、１１…補強土壁構造物、１２…補強土壁、１３…補強材としてのジオテキスタイル、１４…壁面材としてのＬ型鋼製網材。
【図１】
2004218263.tif 000003
【図２】
2004218263.tif 000004
【図３】
2004218263.tif 000005
【図４】
2004218263.tif 000006
【図５】
2004218263.tif 000007